(57)【特許請求の範囲】
【請求項１】
誘電特性を有するコンデンサ素体と、
前記コンデンサ素体内に配置された、第１及び第２の信号用内部電極並びに第１及び第２の接地用内部電極と、
前記コンデンサ素体の外表面に配置された、第１及び第２の信号用端子電極並びに第１及び第２の接地用端子電極並びに信号用接続導体並びに接地用接続導体と、を備えており、
前記第１の信号用内部電極は、前記第１の信号用端子電極及び前記信号用接続導体に接続され、
前記第２の信号用内部電極は、前記第２の信号用端子電極及び前記信号用接続導体に接続され、
前記第１の接地用内部電極は、前記第１の接地用端子電極及び前記接地用接続導体に接続され、
前記第２の接地用内部電極は、前記第２の接地用端子電極及び前記接地用接続導体に接続され、
前記第１の信号用内部電極と前記第１の接地用内部電極とは、前記コンデンサ素体の少なくとも一部を挟んで対向する領域を有し、
前記第２の信号用内部電極と前記第２の接地用内部電極とは、前記コンデンサ素体の少なくとも一部を挟んで対向する領域を有し、
前記第１の信号用内部電極と前記第２の接地用内部電極とが、同じ層に位置し、
前記第２の信号用内部電極と前記第１の接地用内部電極とが、同じ層に位置しており、
前記第１の信号用内部電極と前記第２の接地用内部電極とは、互いに対向せず、
前記第２の信号用内部電極と前記第１の接地用内部電極とは、互いに対向しないことを特徴とする貫通型積層コンデンサ。
【請求項２】
前記第１及び第２の信号用内部電極並びに前記第１及び第２の接地用内部電極が、ミアンダ形状を呈していることを特徴とする請求項１に記載の貫通型積層コンデンサ。
【請求項３】
前記第１の信号用内部電極と前記第１の接地用内部電極とが対向する前記領域と、前記第２の信号用内部電極と前記第２の接地用内部電極とが対向する前記領域とは、面積が異なっていることを特徴とする請求項１又は２に記載の貫通型積層コンデンサ。
【請求項４】
前記コンデンサ素体は、相対向する長方形状の第１及び第２の主面と、前記第１及び第２の主面間を連結するように前記第１及び第２の主面の短辺方向に伸びている第１及び第２の端面と、前記第１及び第２の主面間を連結するように前記第１及び第２の主面の長辺方向に伸びている第１及び第２の側面と、を有しており、
前記第１及び第２の信号用端子電極並びに前記接地用接続導体は、前記第１の側面に配置され、
前記第１及び第２の接地用端子電極並びに前記信号用接続導体は、前記第２の側面に配置されていることを特徴とする請求項１〜３のいずれか一項に記載の貫通型積層コンデンサ。
【請求項５】
前記第１の信号用内部電極は、前記第１の接地用内部電極と対向する前記領域を含む主電極部と、該主電極部から伸びると共に前記第１の信号用端子電極及び前記信号用接続導体にそれぞれ接続される引き出し部と、を有し、
前記第２の信号用内部電極は、前記第２の接地用内部電極と対向する前記領域を含む主電極部と、該主電極部から伸びると共に前記第２の信号用端子電極及び前記信号用接続導体にそれぞれ接続される引き出し部と、を有し、
前記第１の接地用内部電極は、前記第１の信号用内部電極と対向する前記領域を含む主電極部と、該主電極部から伸びると共に前記第１の接地用端子電極及び前記接地用接続導体にそれぞれ接続される引き出し部と、を有し、
前記第２の接地用内部電極は、前記第２の信号用内部電極と対向する前記領域を含む主電極部と、該主電極部から伸びると共に前記第２の接地用端子電極及び前記接地用接続導体にそれぞれ接続される引き出し部と、を有していることを特徴とする請求項１〜４のいずれか一項に記載の貫通型積層コンデンサ。
【請求項６】
誘電特性を有するコンデンサ素体と、
前記コンデンサ素体の少なくとも一部を挟んで対向する領域を有するように前記コンデンサ素体内に配置された信号用内部電極と接地用内部電極とをそれぞれ含む複数の内部電極群と、
前記コンデンサ素体の外表面に配置された、第１及び第２の信号用端子電極並びに第１及び第２の接地用端子電極と、
前記コンデンサ素体の外表面に配置された、それぞれ少なくとも一つの信号用接続導体及び接地用接続導体と、を備えており、
前記複数の内部電極群それぞれに含まれる前記各信号用内部電極は、前記少なくとも一つの信号用接続導体により互いに電気的に接続され、
前記複数の内部電極群それぞれに含まれる前記各接地用内部電極は、前記少なくとも一つの接地用接続導体により互いに電気的に接続され、
前記複数の内部電極群それぞれに含まれる前記各信号用内部電極のうち一つの信号用内部電極が前記第１の信号用端子電極に接続され、前記複数の内部電極群それぞれに含まれる前記各信号用内部電極のうち前記一つの信号用内部電極を除くいずれか一つの信号用内部電極が前記第２の信号用端子電極に接続され、
前記複数の内部電極群それぞれに含まれる前記各接地用内部電極のうち一つの接地用内部電極が前記第１の接地用端子電極に接続され、前記複数の内部電極群それぞれに含まれる前記各接地用内部電極のうち前記一つの接地用内部電極を除くいずれか一つの接地用内部電極が前記第２の接地用端子電極に接続され、
前記複数の内部電極群のうち、それぞれ異なる内部電極群に含まれる信号用内部電極と接地用内部電極とは同じ層に位置しており、
前記複数の内部電極群のうち、それぞれ異なる内部電極群に含まれる信号用内部電極と接地用内部電極とは互いに対向していないことを特徴とする貫通型積層コンデンサ。
【発明の詳細な説明】
【技術分野】
【０００１】
本発明は、貫通型積層コンデンサに関する。
【背景技術】
【０００２】
貫通型積層コンデンサとして、誘電体層と信号用内部電極及び接地用内部電極とが交互に積層されたコンデンサ素体と、当該コンデンサ素体に形成された信号用端子電極及び接地用端子電極とを備えたものが知られている（例えば、特許文献１参照）。
【特許文献１】特開平０１−２０６６１５号公報
【発明の開示】
【発明が解決しようとする課題】
【０００３】
本発明は、１つの素子で複数の静電容量成分を並列接続する回路を実現することが可能な貫通型積層コンデンサを提供することを課題とする。
【課題を解決するための手段】
【０００４】
通常、電子機器には複数の貫通型積層コンデンサが搭載されている。そのため、搭載するコンデンサの数だけ電子機器内において実装スペースが消費されてしまう。そこで、本発明者等は、１つの素子で複数の並列回路を実現することができる貫通型積層コンデンサについて鋭意研究をした結果、本願発明に想到するに至った。
【０００５】
かかる研究結果を踏まえ、本発明に係る貫通型積層コンデンサは、誘電特性を有するコンデンサ素体と、コンデンサ素体内に配置された、第１及び第２の信号用内部電極並びに第１及び第２の接地用内部電極と、コンデンサ素体の外表面に配置された、第１及び第２の信号用端子電極並びに第１及び第２の接地用端子電極並びに信号用接続導体並びに接地用接続導体と、を備えており、第１の信号用内部電極は、第１の信号用端子電極及び信号用接続導体に接続され、第２の信号用内部電極は、第２の信号用端子電極及び信号用接続導体に接続され、第１の接地用内部電極は、第１の接地用端子電極及び接地用接続導体に接続され、第２の接地用内部電極は、第２の接地用端子電極及び接地用接続導体に接続され、第１の信号用内部電極と第１の接地用内部電極とは、コンデンサ素体の少なくとも一部を挟んで対向する領域を有し、第２の信号用内部電極と第２の接地用内部電極とは、コンデンサ素体の少なくとも一部を挟んで対向する領域を有し、第１の信号用内部電極と第２の接地用内部電極とは、互いに対向せず、第２の信号用内部電極と第１の接地用内部電極とは、互いに対向しないことを特徴とする。
【０００６】
本発明に係る貫通型積層コンデンサでは、第１の信号用内部電極と第１の接地用内部電極とが互いに対向する領域を有し、第２の信号用内部電極と第２の接地用内部電極とが互いに対向する領域を有している。そして、第１の信号用内部電極と第２の接地用内部電極とは、互いに対向せず、第２の信号用内部電極と第１の接地用内部電極とは、互いに対向していない。これらにより、上記貫通型積層コンデンサにおいて、第１の信号用内部電極と第１の接地用内部電極とが互いに対向する領域により形成される静電容量成分と、第２の信号用内部電極と第２の接地用内部電極とが互いに対向する領域により形成される静電容量成分と、が並列接続される回路が実現される。
【０００７】
好ましくは、第１の信号用内部電極と第２の接地用内部電極とが、同じ層に位置し、第２の信号用内部電極と第１の接地用内部電極とが、同じ層に位置している。この場合、内部電極の層数が少なくなるため、貫通型積層コンデンサの低背化を図ることができる。
【０００８】
好ましくは、第１及び第２の信号用内部電極並びに第１及び第２の接地用内部電極が、ミアンダ形状を呈している。この場合、貫通型積層コンデンサのインピーダンスを大きくすることができる。
【０００９】
好ましくは、第１の信号用内部電極と第１の接地用内部電極とが対向する領域と、第２の信号用内部電極と第２の接地用内部電極とが対向する領域とは、面積が異なっている。この場合、上記二つの静電容量成分の大きさが異なることとなる。このため、貫通型積層コンデンサは、広帯域の周波数領域において低インピーダンスとなる。
【００１０】
好ましくは、コンデンサ素体は、相対向する長方形状の第１及び第２の主面と、第１及び第２の主面間を連結するように第１及び第２の主面の短辺方向に伸びている第１及び第２の端面と、第１及び第２の主面間を連結するように第１及び第２の主面の長辺方向に伸びている第１及び第２の側面と、を有しており、第１及び第２の信号用端子電極並びに接地用接続導体は、第１の側面に配置され、第１及び第２の接地用端子電極並びに信号用接続導体は、第２の側面に配置されている。この場合、信号用接続導体と接地用接続導体とが離れて配置されるため、上記二つの静電容量成分をより一層好適に分離して形成することができる。
【００１１】
好ましくは、第１の信号用内部電極は、第１の接地用内部電極と対向する領域を含む主電極部と、該主電極部から伸びると共に第１の信号用端子電極及び信号用接続導体にそれぞれ接続される引き出し部と、を有し、第２の信号用内部電極は、第２の接地用内部電極と対向する領域を含む主電極部と、該主電極部から伸びると共に第２の信号用端子電極及び信号用接続導体にそれぞれ接続される引き出し部と、を有し、第１の接地用内部電極は、第１の信号用内部電極と対向する領域を含む主電極部と、該主電極部から伸びると共に第１の接地用端子電極及び接地用接続導体にそれぞれ接続される引き出し部と、を有し、第２の接地用内部電極は、第２の信号用内部電極と対向する領域を含む主電極部と、該主電極部から伸びると共に第２の接地用端子電極及び接地用接続導体にそれぞれ接続される引き出し部と、を有している。
【００１２】
本発明に係る貫通型積層コンデンサは、誘電特性を有するコンデンサ素体と、コンデンサ素体の少なくとも一部を挟んで対向する領域を有するようにコンデンサ素体内に配置された信号用内部電極と接地用内部電極とをそれぞれ含む複数の内部電極群と、コンデンサ素体の外表面に配置された、第１及び第２の信号用端子電極並びに第１及び第２の接地用端子電極と、コンデンサ素体の外表面に配置された、それぞれ少なくとも一つの信号用接続導体及び接地用接続導体と、を備えており、複数の内部電極群それぞれに含まれる各信号用内部電極は、少なくとも一つの信号用接続導体により互いに電気的に接続され、複数の内部電極群それぞれに含まれる各接地用内部電極は、少なくとも一つの接地用接続導体により互いに電気的に接続され、複数の内部電極群それぞれに含まれる各信号用内部電極のうち一つの信号用内部電極が第１の信号用端子電極に接続され、複数の内部電極群それぞれに含まれる各信号用内部電極のうち一つの信号用内部電極を除くいずれか一つの信号用内部電極が第２の信号用端子電極に接続され、複数の内部電極群それぞれに含まれる各接地用内部電極のうち一つの接地用内部電極が第１の接地用端子電極に接続され、複数の内部電極群それぞれに含まれる各接地用内部電極のうち一つの接地用内部電極を除くいずれか一つの接地用内部電極が第２の接地用端子電極に接続され、複数の内部電極群のうち、それぞれ異なる内部電極群に含まれる信号用内部電極と接地用内部電極とは互いに対向していないことを特徴とする。
【００１３】
本発明に係る貫通型積層コンデンサでは、各内部電極群において信号用内部電極と接地用内部電極とが互いに対向する領域を有している。そして、異なる内部電極群に含まれる信号用内部電極及び接地用内部電極同士は、互いに対向していない。これらにより、上記貫通型積層コンデンサにおいて、各内部電極群において静電容量成分が形成され、これらの形成された複数の静電容量成分は、並列接続される。したがって、本発明によれば、複数の静電容量成分が並列接続される回路が実現される。
【発明の効果】
【００１４】
本発明によれば、１つの素子で複数の静電容量成分を並列接続する回路を実現することが可能な貫通型積層コンデンサを提供することができる。
【発明を実施するための最良の形態】
【００１５】
以下、添付図面を参照して、本発明の好適な実施形態について詳細に説明する。なお、説明において、同一要素又は同一機能を有する要素には、同一符号を用いることとし、重複する説明は省略する。
【００１６】
（第１実施形態）
図１〜図３を参照して、第１実施形態に係る貫通型積層コンデンサＣ１の構成について説明する。図１は、第１実施形態に係る貫通型積層コンデンサの斜視図である。図２は、第１実施形態に係る貫通型積層コンデンサに含まれるコンデンサ素体の分解斜視図である。図３は、内部電極の構成を示す図である。図４は、第１実施形態に係る貫通型積層コンデンサの等価回路図である。
【００１７】
貫通型積層コンデンサＣ１は、図１に示されるように、コンデンサ素体１と、第１の信号用端子電極１０、第２の信号用端子電極１１、第１の接地用端子電極１２、第２の接地用端子電極１３、信号用接続導体１４、及び接地用接続導体１５を備えている。
【００１８】
コンデンサ素体１は、略直方体状であり、互いに対向する長方形状の第１及び第２の主面２，３と、第１及び第２の主面２，３間を連結するように第１及び第２の主面２，３の短辺方向に伸び且つ互いに対向する第１及び第２の端面４，５と、第1及び第２の主面２，３を連結するように第１及び第２の主面２，３の長辺方向に伸び且つ互いに対向する第１及び第２の側面６，７と、を有している。第１実施形態では、第２の主面３が、他の部品（例えば、回路基板や電子部品等）に対する実装面となる。
【００１９】
コンデンサ素体１は、図２に示されるように、複数の絶縁体層９を有している。コンデンサ素体１は、複数の絶縁体層９が第１及び第２の主面２，３が対向する方向に積層されることにより構成されており、誘電特性を有している。各絶縁体層９は、例えば誘電体セラミック（ＢａＴｉＯ３系、Ｂａ(Ｔｉ，Ｚｒ)Ｏ３系、又は（Ｂａ，Ｃａ）ＴｉＯ３系等の誘電体セラミック）を含むセラミックグリーンシートの焼結体から構成される。なお、実際の貫通型積層コンデンサＣ１では、各絶縁体層９は、互いの間の境界が視認できない程度に一体化されている。
【００２０】
第１及び第２の信号用端子電極１０，１１並びに接地用接続導体１５は、コンデンサ素体１の第１の側面６に配置されている。第１及び第２の信号用端子電極１０，１１並びに接地用接続導体１５それぞれは、第１の側面６の一部を第１及び第２の主面２，３の対向方向に沿って覆うように、第１及び第２の主面２，３に亘って形成されている。第１及び第２の信号用端子電極１０，１１並びに第１の接地用接続導体１５は、コンデンサ素体１の表面上においては互いに電気的に絶縁されている。
【００２１】
第１及び第２の接地用端子電極１２，１３並びに信号用接続導体１４は、コンデンサ素体１の第２の側面７に配置されている。第１及び第２の接地用端子電極１２，１３並びに信号用接続導体１４それぞれは、第２の側面７の一部を第１及び第２の主面２，３の対向方向に沿って覆うように、第１及び第２の主面２，３に亘って形成されている。第１及び第２の接地用端子電極１２，１３並びに信号用接続導体１４は、コンデンサ素体１の表面上においては互いに電気的に絶縁されている。
【００２２】
第１及び第２の信号用端子電極１０，１１並びに接地用接続導体１５は、コンデンサ素体１の第１の側面６において、第１の端面４から第２の端面５に向う方向で、第１の信号用端子電極１０、接地用接続導体１５、第２の信号用端子電極１１の順で配置されている。第１及び第２の接地用端子電極１２，１３並びに信号用接続導体１４は、コンデンサ素体１の第２の側面７において、第１の端面４から第２の端面５に向う方向で、第１の接地用端子電極１２、信号用接続導体１４、第２の接地用端子電極１３の順で配置されている。第１の信号用端子電極１０と第１の接地用端子電極１２とは、第１及び第２の側面６，７の対向方向で対向している。信号用接続導体１４と接地用接続導体１５とは、第１及び第２の側面６，７の対向方向で対向している。第２の信号用端子電極１１と第２の接地用端子電極１３とは、第１及び第２の側面６，７の対向方向で対向している。
【００２３】
各端子電極１０〜１３及び各接続導体１４，１５は、例えば導電性金属粉末及びガラスフリットを含む導電性ペーストをコンデンサ素体１の外表面の付与し、焼き付けることによって形成される。必要に応じて、焼き付けられた端子電極１０〜１３及び接続導体１４，１５の上にめっき層が形成されることもある。
【００２４】
貫通型積層コンデンサＣ１は、図２に示されるように、第１の信号用内部電極２０、第２の信号用内部電極２４、第１の接地用内部電極３０、及び第２の接地用内部電極３４を備えている。第１及び第２の信号用内部電極２０，２４並びに第１及び第２の接地用内部電極３０，３４は、コンデンサ素体１内に配置されている。第１及び第２の信号用内部電極２０，２４並びに第１及び第２の接地用内部電極３０，３４は、積層型の電気素子の内部電極として通常用いられる導電性材料（例えば、卑金属であるＮｉ等）からなる。第１及び第２の信号用内部電極２０，２４並びに第１及び第２の接地用内部電極３０，３４は、上記導電性材料を含む導電性ペーストの焼結体として構成される。
【００２５】
第１の信号用内部電極２０は、図３中の（ｂ）にも示されるように、主電極部２１と、二つの引き出し部２２，２３と、を有している。主電極部２１と、二つの引き出し部２２，２３とは、一体的に形成されている。引き出し部２２は、主電極部２１の第１の側面６側の縁から第１の側面６に端が露出するように伸びている。引き出し部２３は、主電極部２１の第２の側面７側の縁から第２の側面７に端が露出するように伸びている。
【００２６】
第１の信号用端子電極１０は、引き出し部２２の第１の側面６に露出した部分をすべて覆うように形成されており、引き出し部２２は、第１の信号用端子電極１０に物理的且つ電気的に接続される。信号用接続導体１４は、引き出し部２３の第２の側面７に露出した部分をすべて覆うように形成されており、引き出し部２３は、信号用接続導体１４に物理的且つ電気的に接続される。これにより、第１の信号用内部電極２０は、第１の信号用端子電極１０及び信号用接続導体１４に接続されることとなる。
【００２７】
第２の信号用内部電極２４は、図３中の（ａ）にも示されるように、主電極部２５と、二つの引き出し部２６，２７と、を有している。主電極部２５と、二つの引き出し部２６，２７とは、一体的に形成されている。引き出し部２６は、主電極部２５の第１の側面６側の縁から第１の側面６に端が露出するように伸びている。引き出し部２７は、主電極部２５の第２の側面７側の縁から第２の側面７に端が露出するように伸びている。
【００２８】
第２の信号用端子電極１１は、引き出し部２６の第１の側面６に露出した部分をすべて覆うように形成されており、引き出し部２６は、第２の信号用端子電極１１に物理的且つ電気的に接続される。信号用接続導体１４は、引き出し部２７の第２の側面７に露出した部分をすべて覆うようにも形成されており、引き出し部２７は、信号用接続導体１４に物理的且つ電気的に接続される。これにより、第２の信号用内部電極２４は、第２の信号用端子電極１１及び信号用接続導体１４に接続されることとなる。そして、第１の信号用内部電極２０と、第２の信号用内部電極２４とは、信号用接続導体１４を通して、電気的に接続されている。
【００２９】
第１の接地用内部電極３０は、図３中の（ａ）にも示されるように、主電極部３１と、二つの引き出し部３２，３３と、を有している。主電極部３１と、二つの引き出し部３２，３３とは、一体的に形成されている。引き出し部３２は、主電極部３１の第２の側面７側の縁から第２の側面７に端が露出するように伸びている。引き出し部３３は、主電極部３１の第１の側面６側の縁から第１の側面６に端が露出するように伸びている。
【００３０】
第１の接地用端子電極１２は、引き出し部３２の第２の側面７に露出した部分をすべて覆うように形成されており、引き出し部３２は、第１の接地用端子電極１２に物理的且つ電気的に接続される。接地用接続導体１５は、引き出し部３３の第１の側面６に露出した部分をすべて覆うように形成されており、引き出し部３３は、接地用接続導体１５に物理的且つ電気的に接続される。これにより、第１の接地用内部電極３０は、第１の接地用端子電極１２及び接地用接続導体１５に接続されることとなる。
【００３１】
第２の接地用内部電極３４は、図３中の（ｂ）にも示されるように、主電極部３５と、二つの引き出し部３６，３７と、を有している。主電極部３５と、二つの引き出し部３６，３７とは、一体的に形成されている。引き出し部３６は、主電極部３５の第２の側面７側の縁から第２の側面７に端が露出するように伸びている。引き出し部３７は、主電極部３５の第１の側面６側の縁から第１の側面６に端が露出するように伸びている。
【００３２】
第２の接地用端子電極１３は、引き出し部３６の第２の側面７に露出した部分をすべて覆うように形成されており、引き出し部３６は、第２の接地用端子電極１３に物理的且つ電気的に接続される。接地用接続導体１５は、引き出し部３７の第１の側面６に露出した部分をもすべて覆うようにも形成されており、引き出し部３７は、接地用接続導体１５に物理的且つ電気的に接続される。これにより、第２の接地用内部電極３４は、第２の接地用端子電極１３及び接地用接続導体１５に接続されることとなる。そして、第１の接地用内部電極３０と、第２の接地用内部電極３４とは、接地用接続導体１５を通して、電気的に接続されている。
【００３３】
第１の信号用内部電極２０の主電極部２１と、第１の接地用内部電極３０の主電極部３１とは、コンデンサ素体１の一部である少なくとも一つの絶縁体層９を挟んで絶縁体層９の積層方向に互いに対向する領域を含んでいる。すなわち、第１の信号用内部電極２０と、第１の接地用内部電極３０とは、コンデンサ素体１の一部を挟んで絶縁体層９の積層方向に互いに対向する領域を有している。したがって、絶縁体層９のうち、第１の信号用内部電極２０の主電極部２１と第１の接地用内部電極３０の主電極部３１とに重なる部分は、一つの静電容量成分を実質的に生じさせる領域である。
【００３４】
第２の信号用内部電極２４の主電極部２５と、第２の接地用内部電極３４の主電極部３５とは、コンデンサ素体１の一部である少なくとも一つの絶縁体層９を挟んで互いに対向する領域を含んでいる。すなわち、第２の信号用内部電極２４と、第２の接地用内部電極３４とは、コンデンサ素体１の一部を挟んで互いに対向する領域を有している。したがって、絶縁体層９のうち、第２の信号用内部電極２４の主電極部２５と第２の接地用内部電極３４の主電極部３５とに重なる部分は、一つの静電容量成分を実質的に生じさせる領域である。
【００３５】
第１の信号用内部電極２０と第２の接地用内部電極３４とは、絶縁体層９の積層方向に対向していない。これにより、第１の信号用内部電極２０と第２の接地用内部電極３４との間で、静電容量成分が実質的に生じることはない。第１実施形態では、第１の信号用内部電極２０と第２の接地用内部電極３４とは、同じ層に位置しており、第１及び第２の端面４，５の対向方向に所定の間隔を有して位置している。第１の信号用内部電極２０と第２の信号用内部電極２４とは、異なる層に位置している。
【００３６】
第２の信号用内部電極２４と第１の接地用内部電極３０とは、絶縁体層９の積層方向に対向していない。これにより、第２の信号用内部電極２４と第１の接地用内部電極３０との間で、静電容量成分が実質的に生じることはない。第１実施形態では、第２の信号用内部電極２４と第１の接地用内部電極３０とは、同じ層に位置しており、第１及び第２の端面４，５の対向方向に所定の間隔を有して位置している。第１の接地用内部電極３０と第２の接地用内部電極３４とは、異なる層に位置している。
【００３７】
第１実施形態では、貫通型積層コンデンサＣ１は、第１の信号用内部電極２０と第１の接地用内部電極３０とを含む一つの内部電極群と、第２の信号用内部電極２４と第２の接地用内部電極３４とを含む一つの内部電極群と、を備えることとなる。そして、第１の信号用内部電極２０と第２の信号用内部電極２４とは、信号用接続導体１４により互いに電気的に接続され、第１の接地用内部電極３０と第２の接地用内部電極３４とは、接地用接続導体１５により互いに電気的に接続される。上述した二つの内部電極群は、コンデンサ素体１内において、第１及び第２の端面４，５の対向方向に併置される。
【００３８】
図４に示されるように、貫通型積層コンデンサＣ１では、上述した内部電極群毎に静電容量成分Ｃ１１，Ｃ１２が形成される。すなわち、第１の信号用内部電極２０の主電極部２１と第１の接地用内部電極３０の主電極部３１とが対向する領域により静電容量成分Ｃ１１が形成される。また、第２の信号用内部電極２４の主電極部２５と第２の接地用内部電極３４の主電極部３５とが対向する領域により静電容量成分Ｃ１２が形成される。貫通型積層コンデンサＣ１は、図５に示されるように、第１及び第２の信号用端子電極１０，１１が信号線ラインＳＬに接続され、第１及び第２の接地用端子電極１２，１３がグランドラインＧＬに接続されることにより、他の部品に実装される。
【００３９】
以上のように、第１実施形態では、静電容量成分Ｃ１１を有するコンデンサと静電容量成分Ｃ１２を有するコンデンサとが並列接続された回路を実現することができる。
【００４０】
第１実施形態では、第１の信号用内部電極２０と第２の接地用内部電極３４とが、同じ層に位置し、第２の信号用内部電極２４と第１の接地用内部電極３０とが、同じ層に位置している。これにより、内部電極の層数が少なくなるため、貫通型積層コンデンサＣ１の低背化を図ることができる。
【００４１】
第１実施形態では、第１及び第２の信号用端子電極１０，１１並びに接地用接続導体１５は、第１の側面６に配置され、第１及び第２の接地用端子電極１２，１３並びに信号用接続導体１４は、第２の側面７に配置されている。これにより、信号用接続導体１４と接地用接続導体１５とが離れて配置されるため、信号用接続導体１４と接地用接続導体１５との間隔が物理的に十分大きくなる。この結果、上記二つの静電容量成分Ｃ１１，Ｃ１２をより一層好適に分離して形成することができる。
【００４２】
次に、図６〜図９に基づいて、第１実施形態の変形例に係る貫通型積層コンデンサＣ１について説明する。本変形例に係る貫通型積層コンデンサは、第１及び第２の信号用内部電極２０，２４並びに第１及び第２の接地用内部電極３０，３４の形状の点で上述した実施形態に係る貫通型積層コンデンサＣ１と異なる。図６及び図８は、第１実施形態の変形例に係る貫通型積層コンデンサに含まれるコンデンサ素体を示す分解斜視図である。図７及び図９は、内部電極の構成を示す図である。
【００４３】
図６及び図７に示された変形例では、第１及び第２の信号用内部電極２０，２４並びに第１及び第２の接地用内部電極３０，３４の各主電極部２１，２５，３１，３５がミアンダ形状を呈している。各主電極部２１，２５，３１，３５は、その幅が狭く、線路長が長くなるため、第１及び第２の信号用内部電極２０，２４並びに第１及び第２の接地用内部電極３０，３４の電気抵抗が比較的高くなる。この結果、貫通型積層コンデンサのインピーダンスを大きくすることができる。
【００４４】
図８及び図９に示された変形例では、第１の信号用内部電極２０の主電極部２１と第１の接地用内部電極３０の主電極部３１とが対向する領域と、第２の信号用内部電極２４の主電極部２５と第２の接地用内部電極３４の主電極部３５とが対向する領域とは、その面積が異なっている。第１実施形態では、第１の信号用内部電極２０の主電極部２１と第１の接地用内部電極３０の主電極部３１とが対向する領域の面積が、第２の信号用内部電極２４の主電極部２５と第２の接地用内部電極３４の主電極部３５とが対向する領域の面積より狭い。したがって、上記静電容量成分Ｃ１１は、静電容量成分Ｃ１２よりも小さくなる。
【００４５】
図１０に、第１実施形態に係る貫通型積層コンデンサＣ１、及び、図８及び図９に示された変形例に係る貫通型積層コンデンサそれぞれの周波数（Ｈｚ)に関するインピーダンス（Ω）特性を表すグラフを示す。図１０に示したグラフの横軸は周波数（Ｈｚ）を表し、縦軸はインピーダンス（Ω）を表す。図１０の破線で表された特性Ｚ１が第１実施形態に係る貫通型積層コンデンサＣ１に対応し、実線で表された特性Ｚ２が図６に示された変形例に係る貫通型積層コンデンサに対応する。
【００４６】
図１０の特性Ｚ１に示されるように、第１実施形態に係る貫通型積層コンデンサＣ１では、コンデンサに形成された２つの静電容量成分が同じ値なので、当該静電容量に対応する共振周波数ｆ１にのみインピーダンスが極小となる点を有する。一方、図１０の特性Ｚ２に示されるように、図８及び図９に示された変形例に係る貫通型積層コンデンサでは、コンデンサに形成された２つの静電容量成分の値が異なるので、異なる共振周波数ｆ１、ｆ２の双方にインピーダンスが極小となる点を有する。このように、図８及び図９に示された変形例に係る貫通型積層コンデンサは、２つの異なる静電容量成分を有しているため、１つの静電容量をもつ場合と比べ、広い周波数帯域にわたってインピーダンスを低くすることができる。
【００４７】
（第２実施形態）
次に、図１１〜図１３を参照して、第２実施形態に係る貫通型積層コンデンサＣ２の構成について説明する。図１１は、第２実施形態に係る貫通型積層コンデンサの斜視図である。図１２は、第２実施形態に係る貫通型積層コンデンサに含まれるコンデンサ素体の分解斜視図である。図１３は、第２実施形態に係る貫通型積層コンデンサの等価回路図である。
【００４８】
貫通型積層コンデンサＣ２は、図１１に示されるように、コンデンサ素体１と、第１の信号用端子電極１０、第２の信号用端子電極１１、第１の接地用端子電極１２、第２の接地用端子電極１３、第１の信号用接続導体１４ａ、第２の信号用接続導体１４ｂ、第１の接地用接続導体１５ａ、及び第２の接地用接続導体１５ｂを備えている。
【００４９】
第１及び第２の信号用端子電極１０，１１並びに第１及び第２の接地用接続導体１５ａ，１５ｂは、コンデンサ素体１の第１の側面６に配置されている。各接地用接続導体１５ａ，１５ｂは、各信号用端子電極１０，１１と同じく、第１の側面６の一部を第１及び第２の主面２，３の対向方向に沿って覆うように、第１及び第２の主面２，３に亘って形成されている。各信号用端子電極１０，１１及び各接地用接続導体１５ａ，１５ｂは、コンデンサ素体１の表面上においては互いに電気的に絶縁されている。
【００５０】
第１及び第２の接地用端子電極１２，１３並びに第１の信号用接続導体１４ａ，１４ｂは、コンデンサ素体１の第２の側面７に配置されている。各信号用接続導体１４ａ，１４ｂは、第１及び第２の接地用端子電極１２，１３と同じく、第２の側面７の一部を第１及び第２の主面２，３の対向方向に沿って覆うように、第１及び第２の主面２，３に亘って形成されている。各接地用端子電極１２，１３及び各信号用接続導体１４ａ，１４ｂは、コンデンサ素体１の表面上においては互いに電気的に絶縁されている。
【００５１】
各信号用端子電極１０，１１及び各接地用接続導体１５ａ，１５ｂは、コンデンサ素体１の第１の側面６において、第１の端面４から第２の端面５に向う方向で、第１の信号用端子電極１０、第１の接地用接続導体１５ａ、第２の接地用接続導体１５ｂ、第２の信号用端子電極１１の順で配置されている。各接地用端子電極１２，１３及び各信号用接続導体１４ａ，１４ｂは、コンデンサ素体１の第２の側面７において、第１の端面４から第２の端面５に向う方向で、第１の接地用端子電極１２、第１の信号用接続導体１４ａ、第２の信号用接続導体１４ｂ、第２の接地用端子電極１３の順で配置されている。
【００５２】
第１の信号用端子電極１０と第１の接地用端子電極１２とは、第１及び第２の側面６，７の対向方向で対向している。第１の信号用接続導体１４ａと第１の接地用接続導体１５ａとは、第１及び第２の側面６，７の対向方向で対向している。第２の信号用接続導体１４ｂと第２の接地用接続導体１５ｂとは、第１及び第２の側面６，７の対向方向で対向している。第２の信号用端子電極１１と第２の接地用端子電極１３とは、第１及び第２の側面６，７の対向方向で対向している。
【００５３】
各接続導体１４ａ，１４ｂ，１５ａ，１５ｂは、各端子電極１０〜１３と同じく、例えば導電性金属粉末及びガラスフリットを含む導電性ペーストをコンデンサ素体１の外表面の付与し、焼き付けることによって形成される。必要に応じて、焼き付けられた各接続導体１４ａ，１４ｂ，１５ａ，１５ｂの上にめっき層が形成されることもある。
【００５４】
貫通型積層コンデンサＣ２は、図１２に示されるように、第１の信号用内部電極２０、第２の信号用内部電極２４、第３の信号用内部電極４０、第１の接地用内部電極３０、第２の接地用内部電極３４、及び第３の接地用内部電極５０を備えている。各内部電極２０，２４，３０，３４，４０，５０は、コンデンサ素体１内に配置されている。第３の信号用内部電極４０及び第３の接地用内部電極５０は、内部電極２０，２４，３０，３４と同じく、積層型の電気素子の内部電極として通常用いられる導電性材料（例えば、卑金属であるＮｉ等）からなる。各内部電極２０，２４，３０，３４，４０，５０は、上記導電性材料を含む導電性ペーストの焼結体として構成される。
【００５５】
第１の信号用内部電極２０は、主電極部２１と、二つの引き出し部２２，２３と、を有している。第１の信号用接続導体１４ａは、引き出し部２３の第２の側面７に露出した部分をすべて覆うように形成されており、引き出し部２３は、第１の信号用接続導体１４ａに物理的且つ電気的に接続される。これにより、第１の信号用内部電極２０は、第１の信号用端子電極１０及び第１の信号用接続導体１４ａに接続されることとなる。
【００５６】
第３の信号用内部電極４０は、主電極部４１と、二つの引き出し部４２，４３と、を有している。主電極部４１と、二つの引き出し部４２，４３とは、一体的に形成されている。各引き出し部４２，４３は、主電極部４１の第２の側面７側の縁から第２の側面７に端が露出するように伸びている。
【００５７】
第１の信号用接続導体１４ａは、引き出し部４２の第２の側面７に露出した部分もすべて覆うように形成されており、引き出し部４２は、第１の信号用接続導体１４ａに物理的且つ電気的に接続される。第２の信号用接続導体１４ｂは、引き出し部４３の第２の側面７に露出した部分をすべて覆うように形成されており、引き出し部４３は、第２の信号用接続導体１４ｂに物理的且つ電気的に接続される。これにより、第３の信号用内部電極４０は、第１及び第２の信号用接続導体１４ａ，１４ｂに接続されることとなる。
【００５８】
第２の信号用内部電極２４は、主電極部２５と、二つの引き出し部２６，２７と、を有している。第２の信号用接続導体１４ｂは、引き出し部２７の第２の側面７に露出した部分もすべて覆うようにも形成されており、引き出し部２７は、第２の信号用接続導体１４ｂに物理的且つ電気的に接続される。これにより、第２の信号用内部電極２４は、第２の信号用端子電極１１及び第２の信号用接続導体１４ｂに接続されることとなる。そして、第１の信号用内部電極２０と、第２の信号用内部電極２４と、第３の信号用内部電極４０とは、第１及び第２の信号用接続導体１４ａ，１４ｂを通して、電気的に接続されている。
【００５９】
第１の接地用内部電極３０は、主電極部３１と、二つの引き出し部３２，３３と、を有している。第１の接地用接続導体１５ａは、引き出し部３３の第１の側面６に露出した部分をすべて覆うように形成されており、引き出し部３３は、第１の接地用接続導体１５ａに物理的且つ電気的に接続される。これにより、第１の接地用内部電極３０は、第１の接地用端子電極１２及び第１の接地用接続導体１５ａに接続されることとなる。
【００６０】
第３の接地用内部電極５０は、主電極部５１と、二つの引き出し部５２，５３と、を有している。主電極部５１と、二つの引き出し部５２，５３とは、一体的に形成されている。各引き出し部５２，５３は、主電極部５１の第１の側面６側の縁から第１の側面６に端が露出するように伸びている。
【００６１】
第１の接地用接続導体１５ａは、引き出し部５２の第１の側面６に露出した部分もすべて覆うように形成されており、引き出し部５２は、第１の接地用接続導体１５ａに物理的且つ電気的に接続される。第２の接地用接続導体１５ｂは、引き出し部５３の第１の側面６に露出した部分をすべて覆うようにも形成されており、引き出し部５３は、第２の接地用接続導体１５ｂに物理的且つ電気的に接続される。これにより、第３の接地用内部電極５０は、第１及び第２の接地用接続導体１５ａ，１５ｂに接続されることとなる。
【００６２】
第２の接地用内部電極３４は、主電極部３５と、二つの引き出し部３６，３７と、を有している。第２の接地用接続導体１５ｂは、引き出し部３７の第１の側面６に露出した部分もすべて覆うようにも形成されており、引き出し部３７は、第２の接地用接続導体１５ｂに物理的且つ電気的に接続される。これにより、第２の接地用内部電極３４は、第２の接地用端子電極１３及び第２の接地用接続導体１５ｂに接続されることとなる。そして、第１の接地用内部電極３０と、第２の接地用内部電極３４と、第３の接地用内部電極５０とは、第１及び第２の接地用接続導体１５ａ，１５ｂを通して、電気的に接続されている。
【００６３】
第３の信号用内部電極４０の主電極部４１と、第３の接地用内部電極５０の主電極部５１とは、コンデンサ素体１の一部である少なくとも一つの絶縁体層９を挟んで絶縁体層９の積層方向に互いに対向する領域を含んでいる。すなわち、第３の信号用内部電極４０と、第３の接地用内部電極５０とは、コンデンサ素体１の一部を挟んで絶縁体層９の積層方向に互いに対向する領域を有している。したがって、絶縁体層９のうち、第３の信号用内部電極４０の主電極部４１と第３の接地用内部電極５０の主電極部５１とに重なる部分も、一つの静電容量成分を実質的に生じさせる領域である。
【００６４】
第１の信号用内部電極２０と、第３の接地用内部電極５０と、第２の信号用内部電極２４とは、同じ層に位置している。各内部電極２０，２４，５０は、第１の端面４から第２の端面５に向う方向で、第１の信号用内部電極２０、第３の接地用内部電極５０、第２の信号用内部電極２４の順で、それぞれ所定の間隔を有して配置されている。
【００６５】
第１の接地用内部電極３０と、第３の信号用内部電極４０と、第２の接地用内部電極３４とは、同じ層に位置している。各内部電極３０，３４，４０は、第１の端面４から第２の端面５に向う方向で、第１の接地用内部電極３０、第３の信号用内部電極４０、第２の接地用内部電極３４の順で、それぞれ所定の間隔を有して配置されている。
【００６６】
第１の信号用内部電極２０と、第２及び第３の接地用内部電極３４，５０とは、絶縁体層９の積層方向に対向していない。これにより、第１の信号用内部電極２０と第２及び第３の接地用内部電極３４，５０との間で、静電容量成分が実質的に生じることはない。
【００６７】
第２の信号用内部電極２４と、第１及び第３の接地用内部電極３０，５０とは、絶縁体層９の積層方向に対向していない。これにより、第２の信号用内部電極２４と第１及び第３の接地用内部電極３０，５０との間で、静電容量成分が実質的に生じることはない。
【００６８】
第３の信号用内部電極４０と、第１及び第２の接地用内部電極３０，３４とは、絶縁体層９の積層方向に対向していない。これにより、第３の信号用内部電極４０と第１及び第２の接地用内部電極３０，３４との間で、静電容量成分が実質的に生じることはない。
【００６９】
第２実施形態では、貫通型積層コンデンサＣ２は、第１の信号用内部電極２０と第１の接地用内部電極３０とを含む一つの内部電極群と、第２の信号用内部電極２４と第２の接地用内部電極３４とを含む一つの内部電極群と、第３の信号用内部電極４０と第３の接地用内部電極５０とを含む一つの内部電極群と、を備えることとなる。そして、第１の信号用内部電極２０と第２の信号用内部電極２４と第３の信号用内部電極４０とは、第１及び第２の信号用接続導体１４ａ，１４ｂにより互いに電気的に接続され、第１の接地用内部電極３０と第２の接地用内部電極３４と第３の接地用内部電極５０とは、第１及び第２の接地用接続導体１５ａ，１５ｂにより互いに電気的に接続される。上述した三つの内部電極群は、コンデンサ素体１内において、第１及び第２の端面４，５の対向方向に併置される。
【００７０】
図１３に示されるように、貫通型積層コンデンサＣ２では、上述した内部電極群毎に静電容量成分Ｃ１１，Ｃ１２，Ｃ１３が形成される。すなわち、第１の信号用内部電極２０の主電極部２１と第１の接地用内部電極３０の主電極部３１とが対向する領域により静電容量成分Ｃ１１が形成される。第２の信号用内部電極２４の主電極部２５と第２の接地用内部電極３４の主電極部３５とが対向する領域により静電容量成分Ｃ１２が形成される。第３の信号用内部電極４０の主電極部４１と第３の接地用内部電極５０の主電極部５１とが対向する領域により静電容量成分Ｃ１３が形成される。
【００７１】
以上のように、第２実施形態にあっても、静電容量成分Ｃ１１を有するコンデンサと静電容量成分Ｃ１２を有するコンデンサと静電容量成分Ｃ１３を有するコンデンサとが並列接続された回路を実現することができる。
【００７２】
（第３実施形態）
次に、図１４〜図１６を参照して、第３実施形態に係る貫通型積層コンデンサＣ３の構成について説明する。図１４は、第３実施形態に係る貫通型積層コンデンサの斜視図である。図１５は、第３実施形態に係る貫通型積層コンデンサに含まれるコンデンサ素体の分解斜視図である。図１６は、第３実施形態に係る貫通型積層コンデンサを用いたノイズ除去回路の一例を示す等価回路図である。
【００７３】
貫通型積層コンデンサＣ３は、図１４に示されるように、コンデンサ素体１と、第１の信号用端子電極１０、第２の信号用端子電極１１、第１の接地用端子電極１２、第２の接地用端子電極１３、第１の信号用接続導体１４ａ、第２の信号用接続導体１４ｂ、第１の接地用接続導体１５ａ、及び第２の接地用接続導体１５ｂを備えている。
【００７４】
第１の信号用端子電極１０、第２の接地用端子電極１３、第２の信号用接続導体１４ｂ、及び第１の接地用接続導体１５ａは、コンデンサ素体１の第１の側面６に配置されている。各端子電極１０，１３及び各接続導体１４ｂ，１５ａは、コンデンサ素体１の第１の側面６において、第１の端面４から第２の端面５に向う方向で、第１の信号用端子電極１０、第１の接地用接続導体１５ａ、第２の信号用接続導体１４ｂ、第２の接地用端子電極１３の順で配置されている。各端子電極１０，１３及び各接続導体１４ｂ，１５ａは、コンデンサ素体１の表面上においては互いに電気的に絶縁されている。
【００７５】
第２の信号用端子電極１１、第１の接地用端子電極１２、第１の信号用接続導体１４ａ、及び第２の接地用接続導体１５ｂは、コンデンサ素体１の第２の側面７に配置されている。各端子電極１１，１２及び各接続導体１４ａ，１５ｂは、コンデンサ素体１の第２の側面７において、第１の端面４から第２の端面５に向う方向で、第１の接地用端子電極１２、第１の信号用接続導体１４ａ、第２の接地用接続導体１５ｂ、第２の信号用端子電極１１の順で配置されている。各端子電極１１，１２及び各接続導体１４ａ，１５ｂは、コンデンサ素体１の表面上においては互いに電気的に絶縁されている。
【００７６】
貫通型積層コンデンサＣ３は、図１５に示されるように、第１の信号用内部電極２０、第２の信号用内部電極２４、第３の信号用内部電極４０、第１の接地用内部電極３０、第２の接地用内部電極３４、及び第３の接地用内部電極５０を備えている。各内部電極２０，２４，３０，３４，４０，５０は、コンデンサ素体１内に配置されている。
【００７７】
第１の信号用内部電極２０は、第１の信号用端子電極１０及び第１の信号用接続導体１４ａに接続されている。
【００７８】
第３の信号用内部電極４０の引き出し部４３は、主電極部４１の第１の側面６側の縁から第１の側面６に端が露出するように伸びている。第２の信号用接続導体１４ｂは、引き出し部４３の第１の側面６に露出した部分をすべて覆うように形成されており、引き出し部４３は、第２の信号用接続導体１４ｂに物理的且つ電気的に接続される。これにより、第３の信号用内部電極４０は、第１及び第２の信号用接続導体１４ａ，１４ｂに接続されることとなる。
【００７９】
第２の信号用内部電極２４の引き出し部２７は、主電極部２５の第１の側面６側の縁から第１の側面６に端が露出するように伸びている。第２の信号用接続導体１４ｂは、引き出し部２７の第１の側面６に露出した部分もすべて覆うようにも形成されており、引き出し部２７は、第２の信号用接続導体１４ｂに物理的且つ電気的に接続される。第２の信号用内部電極２４の引き出し部２６は、主電極部２５の第２の側面７側の縁から第２の側面７に端が露出するように伸びている。第２の信号用端子電極１１は、引き出し部２６の第２の側面７に露出した部分もすべて覆うようにも形成されており、引き出し部２６は、第２の信号用端子電極１１に物理的且つ電気的に接続される。これらにより、第２の信号用内部電極２４は、第２の信号用端子電極１１及び第２の信号用接続導体１４ｂに接続されることとなる。
【００８０】
第１の接地用内部電極３０は、第１の接地用端子電極１２及び第１の接地用接続導体１５ａに接続されている。
【００８１】
第３の接地用内部電極５０の引き出し部５３は、主電極部５１の第２の側面７側の縁から第２の側面７に端が露出するように伸びている。第２の接地用接続導体１５ｂは、引き出し部５３の第２の側面７に露出した部分をすべて覆うようにも形成されており、引き出し部５３は、第２の接地用接続導体１５ｂに物理的且つ電気的に接続される。これにより、第３の接地用内部電極５０は、第１及び第２の接地用接続導体１５ａ，１５ｂに接続されることとなる。
【００８２】
第２の接地用内部電極３４の引き出し部３７は、主電極部３５の第２の側面７側の縁から第２の側面７に端が露出するように伸びている。第２の接地用接続導体１５ｂは、引き出し部３７の第２の側面７に露出した部分もすべて覆うようにも形成されており、引き出し部３７は、第２の接地用接続導体１５ｂに物理的且つ電気的に接続される。第２の接地用内部電極３４の引き出し部３６は、主電極部３５の第１の側面６側の縁から第１の側面６に端が露出するように伸びている。第２の接地用端子電極１３は、引き出し部３６の第１の側面６に露出した部分もすべて覆うようにも形成されており、引き出し部３６は、第２の接地用端子電極１３に物理的且つ電気的に接続される。これらにより、第２の接地用内部電極３４は、第２の接地用端子電極１３及び第２の接地用接続導体１５ｂに接続されることとなる。
【００８３】
第１の信号用内部電極２０と、第２の信号用内部電極２４と、第３の信号用内部電極４０とは、第１及び第２の信号用接続導体１４ａ，１４ｂを通して、電気的に接続されている。第１の接地用内部電極３０と、第２の接地用内部電極３４と、第３の接地用内部電極５０とは、第１及び第２の接地用接続導体１５ａ，１５ｂを通して、電気的に接続されている。
【００８４】
以上のように、第３実施形態にあっても、第１の信号用内部電極２０の主電極部２１と第１の接地用内部電極３０の主電極部３１とが対向する領域により形成される静電容量成分を有するコンデンサと、第２の信号用内部電極２４の主電極部２５と第２の接地用内部電極３４の主電極部３５とが対向する領域により形成される静電容量成分を有するコンデンサと、第３の信号用内部電極４０の主電極部４１と第３の接地用内部電極５０の主電極部５１とが対向する領域により形成される静電容量成分を有するコンデンサと、が並列接続された回路を実現することができる。
【００８５】
第３実施形態に係る貫通型積層コンデンサＣ３は、図１６に示されるように、ノイズ除去回路に適用することが可能である。図１６に示されるように、第１の信号用端子電極１０は電源回路９０に接続され、第１の信号用接続導体１４ａ、第２の信号用接続導体１４ｂ、及び第２の信号用端子電極１１は、それぞれ異なるＩＣ回路９１〜９３に接続されている。また、第１の接地用端子電極１２、第２の接地用端子電極１３、第１の接地用接続導体１５ａ、及び第２の接地用接続導体１５ｂは、グランド（ＧＮＤ）に接続されている。図１６に示された、ノイズ除去回路では、一つの貫通型積層コンデンサＣ３により、複数（本実施形態においては、３つ）のＩＣ回路９１〜９３のノイズを除去することができる。
【００８６】
（第４実施形態）
次に、図１７〜図１９を参照して、第４実施形態に係る貫通型積層コンデンサＣ４の構成について説明する。図１７は、第４実施形態に係る貫通型積層コンデンサの斜視図である。図１８は、第４実施形態に係る貫通型積層コンデンサに含まれるコンデンサ素体の分解斜視図である。図１９は、第４実施形態に係る貫通型積層コンデンサを用いたノイズ除去回路の一例を示す等価回路図である。
【００８７】
貫通型積層コンデンサＣ４は、図１７に示されるように、コンデンサ素体１と、第１の信号用端子電極１０、第２の信号用端子電極１１、第１の接地用端子電極１２、第２の接地用端子電極１３、第１〜第４の信号用接続導体１４ａ〜１４ｄ、第１〜第４の接地用接続導体１５ａ〜１５ｄを備えている。
【００８８】
第１の信号用端子電極１０、第２の接地用端子電極１３、第２の信号用接続導体１４ｂ、第３の信号用接続導体１４ｃ、第１の接地用接続導体１５ａ、及び第４の接地用接続導体１５ｄは、コンデンサ素体１の第１の側面６に配置されている。各端子電極１０，１３及び各接続導体１４ｂ，１４ｃ，１５ａ，１５ｄは、コンデンサ素体１の第１の側面６において、第１の端面４から第２の端面５に向う方向で、第１の信号用端子電極１０、第１の接地用接続導体１５ａ、第２の信号用接続導体１４ｂ、第４の接地用接続導体１５ｄ、第３の信号用接続導体１４ｃ、第２の接地用端子電極１３の順で配置されている。各端子電極１０，１３及び各接続導体１４ｂ，１４ｃ，１５ａ，１５ｄは、コンデンサ素体１の表面上においては互いに電気的に絶縁されている。
【００８９】
第２の信号用端子電極１１、第１の接地用端子電極１２、第１の信号用接続導体１４ａ、第４の信号用接続導体１４ｄ、第２の接地用接続導体１５ｂ、及び第３の接地用接続導体１５ｃは、コンデンサ素体１の第２の側面７に配置されている。各端子電極１１，１２及び各接続導体１４ａ，１４ｄ，１５ｂ，１５ｃは、コンデンサ素体１の第２の側面７において、第１の端面４から第２の端面５に向う方向で、第１の接地用端子電極１２、第１の信号用接続導体１４ａ、第２の接地用接続導体１５ｂ、第４の信号用接続導体１４ｄ、第３の接地用接続導体１５ｃは、第２の信号用端子電極１１の順で配置されている。各端子電極１１，１２及び各接続導体１４ａ，１４ｄ，１５ｂ，１５ｃは、コンデンサ素体１の表面上においては互いに電気的に絶縁されている。
【００９０】
貫通型積層コンデンサＣ４は、図１８に示されるように、第１の信号用内部電極２０、第２の信号用内部電極２４、第３の信号用内部電極４０、第４の信号用内部電極６０、第１の接地用内部電極３０、第２の接地用内部電極３４、第３の接地用内部電極５０、及び第４の接地用内部電極７０を備えている。各内部電極２０，２４，３０，３４，４０，５０，６０，７０は、コンデンサ素体１内に配置されている。
【００９１】
第１の信号用内部電極２０は、第１の信号用端子電極１０及び第１の信号用接続導体１４ａに接続されている。第３の信号用内部電極４０は、第１及び第２の信号用接続導体１４ａ，１４ｂに接続されている。
【００９２】
第４の信号用内部電極６０は、主電極部６１と、三つの引き出し部６２〜６４と、を有している。主電極部６１と、三つの引き出し部６２〜６４とは、一体的に形成されている。各引き出し部６２，６３は、主電極部６１の第１の側面６側の縁から第１の側面６に端が露出するように伸びている。引き出し部６４は、主電極部６１の第２の側面７側の縁から第２の側面７に端が露出するように伸びている。
【００９３】
第２の信号用接続導体１４ｂは、引き出し部６２の第１の側面６に露出した部分もすべて覆うように形成されており、引き出し部６２は、第２の信号用接続導体１４ｂに物理的且つ電気的に接続される。第３の信号用接続導体１４ｃは、引き出し部６３の第１の側面６に露出した部分をすべて覆うように形成されており、引き出し部６３は、第２の信号用接続導体１４ｃに物理的且つ電気的に接続される。第４の信号用接続導体１４ｄは、引き出し部６４の第２の側面７に露出した部分もすべて覆うように形成されており、引き出し部６４は、第４の信号用接続導体１４ｄに物理的且つ電気的に接続される。これらにより、第４の信号用内部電極６０は、第２〜第４の信号用接続導体１４ｂ〜１４ｄに接続されることとなる。
【００９４】
第３の信号用接続導体１４ｃは、引き出し部２７の第１の側面６に露出した部分もすべて覆うようにも形成されており、引き出し部２７は、第３の信号用接続導体１４ｃに物理的且つ電気的に接続される。これにより、第２の信号用内部電極２４は、第２の信号用端子電極１１及び第３の信号用接続導体１４ｃに接続されることとなる。
【００９５】
第１の接地用内部電極３０は、第１の接地用端子電極１２及び第１の接地用接続導体１５ａに接続されている。第３の接地用内部電極５０は、第１及び第２の接地用接続導体１５ａ，１５ｂに接続されている。
【００９６】
第４の接地用内部電極７０は、主電極部７１と、三つの引き出し部７２〜７４と、を有している。主電極部７１と、三つの引き出し部７２〜７４とは、一体的に形成されている。各引き出し部７２，７３は、主電極部７１の第２の側面７側の縁から第２の側面７に端が露出するように伸びている。引き出し部７４は、主電極部７１の第１の側面６側の縁から第１の側面６に端が露出するように伸びている。
【００９７】
第２の接地用接続導体１５ｂは、引き出し部７２の第２の側面７に露出した部分もすべて覆うように形成されており、引き出し部７２は、第２の接地用接続導体１５ｂに物理的且つ電気的に接続される。第３の接地用接続導体１５ｃは、引き出し部７３の第２の側面７に露出した部分をすべて覆うように形成されており、引き出し部７３は、第２の接地用接続導体１５ｃに物理的且つ電気的に接続される。第４の接地用接続導体１５ｄは、引き出し部７４の第１の側面６に露出した部分もすべて覆うように形成されており、引き出し部７４は、第４の接地用接続導体１５ｄに物理的且つ電気的に接続される。これらにより、第４の接地用内部電極７０は、第２〜第４の接地用接続導体１５ｂ〜１５ｄに接続されることとなる。
【００９８】
第３の接地用接続導体１５ｃは、引き出し部３７の第２の側面７に露出した部分もすべて覆うようにも形成されており、引き出し部３７は、第３の接地用接続導体１５ｃに物理的且つ電気的に接続される。これにより、第２の接地用内部電極３４は、第２の接地用端子電極１３及び第３の接地用接続導体１５ｃに接続されることとなる。
【００９９】
第１の信号用内部電極２０と、第２の信号用内部電極２４と、第３の信号用内部電極４０と、第４の信号用内部電極６０とは、第１〜第３の信号用接続導体１４ａ〜１４ｃを通して、電気的に接続されている。第１の接地用内部電極３０と、第２の接地用内部電極３４と、第３の接地用内部電極５０と、第４の接地用内部電極７０とは、第１〜第３の接地用接続導体１５ａ〜１５ｃを通して、電気的に接続されている。
【０１００】
第４の信号用内部電極６０の主電極部６１と、第４の接地用内部電極７０の主電極部７１とは、コンデンサ素体１の一部である少なくとも一つの絶縁体層９を挟んで絶縁体層９の積層方向に互いに対向する領域を含んでいる。すなわち、第４の信号用内部電極６０と、第４の接地用内部電極７０とは、コンデンサ素体１の一部を挟んで絶縁体層９の積層方向に互いに対向する領域を有している。したがって、絶縁体層９のうち、第４の信号用内部電極６０の主電極部６１と第４の接地用内部電極７０の主電極部７１とに重なる部分も、一つの静電容量成分を実質的に生じさせる領域である。
【０１０１】
第１の信号用内部電極２０と、第４の信号用内部電極６０と、第３の接地用内部電極５０と、第２の接地用内部電極３４とは、同じ層に位置している。各内部電極２０，３４，５０，６０は、第１の端面４から第２の端面５に向う方向で、第１の信号用内部電極２０、第３の接地用内部電極５０、第４の信号用内部電極６０、第２の接地用内部電極３４の順で、それぞれ所定の間隔を有して配置されている。
【０１０２】
第２の信号用内部電極２４と、第１の接地用内部電極３０と、第３の信号用内部電極４０と、第４の接地用内部電極７０とは、同じ層に位置している。各内部電極２４，３０，４０，７０は、第１の端面４から第２の端面５に向う方向で、第１の接地用内部電極３０、第３の信号用内部電極４０、第４の接地用内部電極７０、第２の信号用内部電極２４の順で、それぞれ所定の間隔を有して配置されている。
【０１０３】
第１の信号用内部電極２０と、第２〜第４の接地用内部電極３４，５０，７０とは、絶縁体層９の積層方向に対向していない。これにより、第１の信号用内部電極２０と第２〜第４の接地用内部電極３４，５０，７０との間で、静電容量成分が実質的に生じることはない。
【０１０４】
第２の信号用内部電極２４と、第１、第３、及び第４の接地用内部電極３０，５０，７０とは、絶縁体層９の積層方向に対向していない。これにより、第２の信号用内部電極２４と第１、第３、及び第４の接地用内部電極３０，５０，７０との間で、静電容量成分が実質的に生じることはない。
【０１０５】
第３の信号用内部電極４０と、第１、第２、及び第４の接地用内部電極３０，３４，７０とは、絶縁体層９の積層方向に対向していない。これにより、第３の信号用内部電極４０と第１、第２、及び第４の接地用内部電極３０，３４，７０との間で、静電容量成分が実質的に生じることはない。
【０１０６】
第４の信号用内部電極６０と、第１〜第３の接地用内部電極３０，３４，５０とは、絶縁体層９の積層方向に対向していない。これにより、第４の信号用内部電極６０と第１〜第３の接地用内部電極３０，３４，５０との間で、静電容量成分が実質的に生じることはない。
【０１０７】
第４実施形態では、貫通型積層コンデンサＣ４は、第１の信号用内部電極２０と第１の接地用内部電極３０とを含む一つの内部電極群と、第２の信号用内部電極２４と第２の接地用内部電極３４とを含む一つの内部電極群と、第３の信号用内部電極４０と第３の接地用内部電極５０とを含む一つの内部電極群と、第４の信号用内部電極６０と第４の接地用内部電極７０とを含む一つの内部電極群と、を備えることとなる。そして、第１の信号用内部電極２０と第２の信号用内部電極２４と第３の信号用内部電極４０と第４の信号用内部電極６０とは、第１〜第３の信号用接続導体１４ａ〜１４ｃにより互いに電気的に接続され、第１の接地用内部電極３０と第２の接地用内部電極３４と第３の接地用内部電極５０と第４の接地用内部電極７０とは、第１〜第３の接地用接続導体１５ａ〜１５ｃにより互いに電気的に接続される。上述した四つの内部電極群は、コンデンサ素体１内において、第１及び第２の端面４，５の対向方向に併置される。
【０１０８】
以上のように、第４実施形態にあっても、第１の信号用内部電極２０の主電極部２１と第１の接地用内部電極３０の主電極部３１とが対向する領域により形成される静電容量成分を有するコンデンサと、第２の信号用内部電極２４の主電極部２５と第２の接地用内部電極３４の主電極部３５とが対向する領域により形成される静電容量成分を有するコンデンサと、第３の信号用内部電極４０の主電極部４１と第３の接地用内部電極５０の主電極部５１とが対向する領域により形成される静電容量成分を有するコンデンサと、第４の信号用内部電極６０の主電極部６１と第４の接地用内部電極７０の主電極部７１とが対向する領域により形成される静電容量成分を有するコンデンサと、が並列接続された回路を実現することができる。
【０１０９】
第４実施形態に係る貫通型積層コンデンサＣ４は、図１９に示されるように、ノイズ除去回路に適用することが可能である。図１９に示されるように、第１の信号用端子電極１０は電源回路９０に接続され、第１の信号用接続導体１４ａ、第２の信号用接続導体１４ｂ、第３の信号用接続導体１４ｃ、第４の信号用接続導体１４ｄ、及び第２の信号用端子電極１１は、それぞれ異なるＩＣ回路９１〜９５に接続されている。また、第１の接地用端子電極１２、第２の接地用端子電極１３、第１の接地用接続導体１５ａ、第２の接地用接続導体１５ｂ、第３の接地用接続導体１５ｃ、及び第４の接地用接続導体１５ｄは、グランド（ＧＮＤ）に接続されている。図１９に示された、ノイズ除去回路では、一つの貫通型積層コンデンサＣ４により、複数（本実施形態においては、５つ）のＩＣ回路９１〜９５のノイズを除去することができる。
【０１１０】
以上、本発明の好適な実施形態について説明してきたが、本発明は必ずしも上述した実施形態に限定されるものではなく、その要旨を逸脱しない範囲で様々な変更が可能である。
【０１１１】
コンデンサ素体１に含まれる絶縁体層９の積層数及び各内部電極２０，２４，３０，３４，４０，５０，６０，７０の積層数は、上述した実施形態及び変形例にて示された数に限られない。内部電極群の数も、上述した実施形態に記載された数に限られない。
【０１１２】
各内部電極２０，２４，３０，３４，４０，５０，６０，７０の形状は、上述した実施形態及び変形例に示された形状に限られない。したがって、第２〜第４実施形態において、各内部電極２０，２４，３０，３４，４０，５０，６０，７０の形状をミアンダ形状としてもよく、また、信号用内部電極２０，２４，４０，６０の主電極部２１，２５，４１，６１と接地用内部電極３０，３４，５０，７０の主電極部３１，３５，５１，７１とが対向する各領域の面積が異なっていてもよい。
【０１１３】
第２実施形態において、第１の信号用内部電極２０と第２の信号用内部電極２４と第３の信号用内部電極４０とは、第１及び第２の信号用接続導体１４ａ，１４ｂにより互いに電気的に接続されているが、一つの信号用接続導体により互いに電気的に接続されていてもよい。また、第１の接地用内部電極３０と第２の接地用内部電極３４と第３の接地用内部電極５０とは、第１及び第２の接地用接続導体１５ａ，１５ｂにより互いに電気的に接続されているが、一つの接地用接続導体により電気的に接続されていてもよい。
【図面の簡単な説明】
【０１１４】
【図１】第１実施形態に係る貫通型積層コンデンサの斜視図である。
【図２】第１実施形態に係る貫通型積層コンデンサに含まれるコンデンサ素体の分解斜視図である。
【図３】内部電極の構成を示す図である。
【図４】第１実施形態に係る貫通型積層コンデンサの等価回路図である。
【図５】第１実施形態に係る貫通型積層コンデンサを他の部品に実装した状態を示す図である。
【図６】第１実施形態の変形例に係る貫通型積層コンデンサに含まれるコンデンサ素体を示す分解斜視図である。
【図７】内部電極の構成を示す図である。
【図８】第１実施形態の変形例に係る貫通型積層コンデンサに含まれるコンデンサ素体を示す分解斜視図である。
【図９】内部電極の構成を示す図である。
【図１０】第１実施形態及び当該第１実施形態の変形例に係る貫通型積層コンデンサのインピーダンスの周波数特性を示す線図である。
【図１１】第２実施形態に係る貫通型積層コンデンサの斜視図である。
【図１２】第２実施形態に係る貫通型積層コンデンサに含まれるコンデンサ素体の分解斜視図である。
【図１３】第２実施形態に係る貫通型積層コンデンサの等価回路図である。
【図１４】第３実施形態に係る貫通型積層コンデンサの斜視図である。
【図１５】第３実施形態に係る貫通型積層コンデンサに含まれるコンデンサ素体の分解斜視図である。
【図１６】第３実施形態に係る貫通型積層コンデンサを用いたノイズ除去回路の一例を示す等価回路図である。
【図１７】第４実施形態に係る貫通型積層コンデンサの斜視図である。
【図１８】第４実施形態に係る貫通型積層コンデンサに含まれるコンデンサ素体の分解斜視図である。
【図１９】第４実施形態に係る貫通型積層コンデンサを用いたノイズ除去回路の一例を示す等価回路図である。
【符号の説明】
【０１１５】
１…コンデンサ素体、２…第１の主面、３…第２の主面、４…第１の端面、５…第２の端面、６…第１の側面、７…第２の側面、９…絶縁体層、１０…第１の信号用端子電極、１１…第２の信号用端子電極、１２…第１の接地用端子電極、１３…第２の接地用端子電極、１４…信号用接続導体、１４ａ…第１の信号用接続導体、１４ｂ…第２の信号用接続導体、１５…接地用接続導体、１５ａ…第１の接地用接続導体、１５ｂ…第２の接地用接続導体、２０…第１の信号用内部電極、２１…主電極部、２２，２３…引き出し部、２４…第２の信号用内部電極、２５…主電極部、２６，２７…引き出し部、３０…第１の接地用内部電極、３１…主電極部、３２，３３…引き出し部、３４…第２の接地用内部電極、３５…主電極部、３６，３７…引き出し部、４０…第３の信号用内部電極、４１…主電極部、４２，４３…引き出し部、５０…第３の接地用内部電極、５１…主電極部、５２，５３…引き出し部、６０…第４の信号用内部電極、６１…主電極部、６２，６３…引き出し部、７０…第４の接地用内部電極、７１…主電極部、７２，７３…引き出し部、Ｃ１，Ｃ２，Ｃ３，Ｃ４…貫通型積層コンデンサ。
【図１】
0004412386.tif 000002
【図２】
0004412386.tif 000003
【図３】
0004412386.tif 000004
【図４】
0004412386.tif 000005
【図５】
0004412386.tif 000006
【図６】
0004412386.tif 000007
【図７】
0004412386.tif 000008
【図８】
0004412386.tif 000009
【図９】
0004412386.tif 000010
【図１０】
0004412386.tif 000011
【図１１】
0004412386.tif 000012
【図１２】
0004412386.tif 000013
【図１３】
0004412386.tif 000014
【図１４】
0004412386.tif 000015
【図１５】
0004412386.tif 000016
【図１６】
0004412386.tif 000017
【図１７】
0004412386.tif 000018
【図１８】
0004412386.tif 000019
【図１９】
0004412386.tif 000020